(57)【要約】      （修正有）【課題】２個のゲージ片の間に被検査物を収容して被検査物の断面形状を検査する装置において、２個のゲージ片を簡易な構成で連結、またはその解除をでき、またその連結および解除の操作を円滑にできるようにする断面形状の検査装置を提供する。【解決手段】下ゲージ片１３と上ゲージ片１２とを端面どうし接触させたとき、両者間に被検査物３０を収容する収容開口部１１を形成する。下ゲージ片１３の溝１３ｄの屈曲部１３ｅに、連結具１４の下ピン１４ｃを嵌合し、その下ピン１４ｃを中心に連結具１４を回転することで、連結具１４の上ピン１４ｂを、上ゲージ片１２の溝１２ｄに側端面１２ｃがわの開放端から挿入する。それにより、その両ピンで両ゲージ片１２，１３の被挟持部１２ｈ，１３ｈを挟み、両ゲージ片１２，１３を連結する。【選択図】図３
0003168501.tif 000002
【実用新案登録請求の範囲】
【請求項１】
端面どうしを接触させた状態で、その端面と隣接する部分の間に被検査物を収容しかつ被検査物の断面形状に対応した形状の収容開口部を形成する、２個のゲージ片と、
前記２個のゲージ片を前記状態で連結する連結具と
を備え、
前記２個のゲージ片は、前記状態で前記端面を互いに挟んで位置する被挟持部をそれぞれ有し、
前記連結具は、前記２個の被挟持部を挟む間隔で互いに向かい合う２個の挟持作用部を有し、
前記２個の被挟持部の近傍の空間は、前記２個のゲージ片の前記端面とほぼ直角な前記側端面がわから外方へ開放し、
前記各被挟持部と前記挟持作用部のうちの一方の前記被挟持部とそれに対応する前記挟持作用部は、前記端面とほぼ直角な方向に互いに嵌合しかつそれとほぼ平行な方向に対し移動を規制された凸および凹をなし、
前記連結具は、前記一方の被挟持部と挟持作用部との凸および凹の嵌合のために、前記一方の被挟持部を有するゲージ片の前記端面に対し、ほぼ直角な方向に移動可能であり、かつ、前記嵌合した前記凸または凹を回転軸として、他方の前記挟持作用部をそれに対応する前記被挟持部に対し前記側端面をとおして接近離隔させる方向に回転可能である、被検査物の断面形状の検査装置。
【請求項２】
前記被挟持部は、前記各ゲージ片における、前記端面から間隔をおいた壁面を有し、前記一方の被挟持部の壁面は、前記端面に近づく方向に凹部をなし、
前記挟持作用部は、前記ゲージ片の板厚方向に延びるピンであり、
前記連結具は、一方の前記ピンを前記一方の壁面の凹部に嵌合した状態で、その一方のピンを回転軸として、他方のピンを他方のゲージ片の壁面に対し接近離隔させる方向に回転可能である、請求項１に記載の検査装置。
【請求項３】
前記連結具は、前記２個のピンの両端に位置しかつ前記２個のゲージ片を挟む２個の板を備え、前記一方のピンを回転軸として、その板の面方向に沿った方向に回転可能である、請求項２に記載の検査装置。
【請求項４】
前記被挟持部は、前記各ゲージ片における、前記端面から間隔をおいた壁面を有し、一方の壁面は、前記端面に近づく方向に凹部またはその端面から離れる方向に凸部をなし、
前記挟持作用部は、前記状態で前記両ゲージ片に跨るコ字形状の部材の両端によって構成され、その一方の端は、それと対応する前記一方の壁面の凹部または凸部に嵌合する凸または凹をなし、前記連結具は、その嵌合部分を中心に、他方の端を他方の前記ゲージ片の被挟持部の壁面に対し接近離隔させる方向に回転可能である、請求項１に記載の検査装置。
【請求項５】
前記連結具は、前記挟持作用部の両側に位置しかつ前記２個のゲージ片を挟む２個の板を備え、前記嵌合部を中心に、その板の面方向に沿った方向に回転可能である、請求項４に記載の検査装置。
【請求項６】
前記各ゲージ片の前記壁面は、前記各ゲージ片の前記側端面から外方へ開口しその側端面から内方へ向けて延びる溝の、前記端面がわの部分で構成され、
前記他方の挟持作用部は、前記回転によって前記溝に出入り可能である、請求項２から請求項５のいずれかに記載の被検査物の断面形状の検査装置。
【請求項７】
前記被挟持部は、前記各ゲージ片における、前記端面から間隔をおいた壁面を有し、前記一方の被挟持部の壁面は、前記側端面から内方へ間隔をおいた位置で前記端面に近づく方向に凹部をなし、他方の壁面は、前記側端面がわにおいて前記端面がわへ向け近づくように傾斜する面を有し、
前記一方の挟持作用部は、前記凹部に回転可能に嵌合するピンまたは凸である、請求項１に記載の検査装置。
【請求項８】
前記被挟持部は、前記各ゲージ片から突出したピンであり、
前記連結具は、前記２個のピンを挟む間隔で互いに向かい合う２個の壁面を有するほぼコ字形状をなし、その２個の壁面のうち一方の壁面は、一方のピンを嵌合する凹部をなし、
前記連結具は、前記一方のピンを中心に、他方の壁面を他方のピンに対し接近離隔させる方向に回転可能である、請求項１に記載の検査装置。
【考案の詳細な説明】
【技術分野】
【０００１】  この考案は、被検査物の断面形状の検査装置に関し、とくに、２個のゲージ片の間に、被検査物の断面形状に対応した形状の収容開口部を備え、その収容開口部内に被検査物を収容して被検査物の断面形状を検査する装置に関する。
【背景技術】
【０００２】  従来、特許文献１に示されるように、被検査物を挟むように上ゲージ片と下ゲージ片とをあわせ、このゲージ片の開口部に収容した被検査物とその開口部との当たり具合や隙間を調べて、被検査物の各箇所における断面形状を測定または検査するものが知られている。この特許文献１に示されたものは、さらに、上ゲージ片と下ゲージ片とのあわせ面に、凹凸状の嵌合部を設けて上ゲージ片と下ゲージ片とを相互に正確に位置決めするようにしている。
【先行技術文献】
【特許文献】
【０００３】
【特許文献１】  特開平４−１１８５０１号公報
【考案の概要】
【考案が解決しようとする課題】
【０００４】  上記従来のものでは、上ゲージ片が下ゲージ片の上に載っているだけである。両ゲージ片は板状のものであるから下ゲージ片上の載置面は狭く、両ゲージ片を互いに連結固定することが望ましい。
この考案は、２個のゲージ片の間に被検査物を収容して被検査物の断面形状を検査する装置において、２個のゲージ片を簡易な構成で連結、またはその解除をでき、またその連結および解除の操作を円滑にできるようにするものである。
【課題を解決するための手段】
【０００５】  この考案の検査装置は、上記目的を達成するために、端面どうしを接触させた状態で、その端面と隣接する部分の間に被検査物を収容しかつ被検査物の断面形状に対応した形状の収容開口部を形成する、２個のゲージ片と、前記２個のゲージ片を前記状態で連結する連結具とを備える。さらに、前記２個のゲージ片は、前記状態で前記端面を互いに挟んで位置する被挟持部をそれぞれ有し、前記連結具は、前記２個の被挟持部を挟む間隔で互いに向かい合う２個の挟持作用部を有している。前記２個の被挟持部の近傍の空間は、前記２個のゲージ片の前記端面とほぼ直角な前記側端面がわから外方へ開放しており、前記各被挟持部と前記挟持作用部のうちの一方の前記被挟持部とそれに対応する前記挟持作用部は、前記端面とほぼ直角方向に互いに嵌合しかつそれとほぼ平行な方向に対し移動を規制された凸および凹をなし、前記連結具は、前記一方の被挟持部と挟持作用部との凸および凹の嵌合のために、前記一方の被挟持部を有するゲージ片の前記端面に対し、ほぼ直角な方向に移動可能であり、かつ、前記嵌合した前記凸または凹を回転軸として、他方の前記挟持作用部をそれに対応する前記被挟持部に対し前記側端面をとおして接近離隔させる方向に回転可能である構成としている。
【考案の効果】
【０００６】  この構成により、２個のケージ板を端面どうし接触させることでそれらの間に形成される収容開口部に被検査物を置き、被検査物の断面形状を検査することができる。その際、２個のケージ板を接触させる前または後において、連結具をゲージ片の端面に対し、ほぼ直角な方向に移動させ、連結具の一方の挟持作用部を一方のゲージ板の被挟持部に凹凸で嵌合させる。２個のケージ板を接触させた後、その嵌合部を中心に連結具を回転させることで、他方のゲージ板の側端面がわに被挟持部近傍の空間が開放されているため、連結具の他方の挟持作用部を他方のゲージ板の被挟持部に接近させることができ、その結果、２個のケージ板を相互に連結することができる。また、連結具を逆に回転させることで、連結を解除し、被検査物を取り出すことができる。【０００７】  このように、連結具を回転させることで、２個のゲージ板の連結および解除をするので、その操作を円滑にできる。その際、凹凸の嵌合によって連結具を回転させる位置が固定され、回転させやすい。また、２個のケージ板が連結された状態で、連結具に触れてもその位置がずれにくく、被検査物の検査作業がしやすい。さらに、それらを簡易な構成で実現することができる。
【図面の簡単な説明】
【０００８】
【図１】  この考案の一実施形態を示す検査装置の斜視図。
【図２】  図１の分解斜視図。
【図３】  （ａ）図１の一組のゲージの一部を拡大して示す正面図、（ｂ）その側面図。
【図４】  （ａ）図１の基板の一部の平面図、（ｂ）その（ａ）図のｂ−ｂ線断面図、（ｃ）その（ａ）図のｃ−ｃ線断面図。
【図５】  他の実施形態の図１の相当の斜視図。
【図６】  他の実施形態の図３の相当図。
【図７】  他の実施形態の図３の相当図。
【図８】  他の実施形態の図３の相当図。
【考案を実施するための形態】
【０００９】  以下、この考案の一実施形態を、図面にしたがって詳細に説明する。
この検査装置は、複数組のゲージ１０とそれらを支持する基板２０とからなる。各組のゲージ１０は、それぞれ被検査物を収容する収容開口部１１を備え、１つの被検査物に対してそれぞれ異なる箇所に設置される。これにより、図３（ａ）に示すように、収容開口部１１と被検査物３０との当たり具合や隙間ＣＬを調べて、被検査物の各箇所における断面形状を測定または検査することができる。図では収容開口部１１を単純な形状で表したが、各収容開口部１１の形状は、各ゲージ１０ごとに被検査物の各部の形状に対応して設定される。
【００１０】  ゲージ１０および基板２０は、アクリルなどの樹脂板または木材の合板などで形成される。ゲージ１０は、好ましくは透明なアクリル板であるが、不透明であってもよい。
【００１１】  図では、複数組のゲージ１０は、被検査物に対して縦方向に一組Ａ、横方向に二組Ｂ、さらに被検査物の角に対して斜めに一組Ｃ設置されている。これも、被検査物の検査すべき箇所に応じて適宜設定される。
【００１２】  各組のゲージ１０は、被検査物を上下から挟むように位置する上下２個のゲージ片１２，１３と、それらを連結する連結具１４とから構成される。上下ゲージ片１２，１３は、上ゲージ片１２の下端面１２ａと下ゲージ片１３の上端面１３ａとを互いに接触させてほぼ一つの平面状に配置される。また、上下ゲージ片１２，１３は、端面１２ａ，１３ａと一方のがわで隣接するゲージ片の部分に、切り欠き状に形成された凹部１２ｂ，１３ｂを有し、その凹部１２ｂ，１３ｂ間に被検査物３０を収容するための収容開口部１０１を形成している。なお、組Ａ，Ｂについては長手方向両端に端面１２ａ，１３ａを、中央に凹部１２ｂ，１３ｂをそれぞれ備え、組Ｃについは一方の端に端面１２ａ，１３ａを、他方の端に凹部１２ｂ，１３ｂを備えている。
【００１３】  端面１２ａ，１３ａの一方には凸部１２ｆ、他方には凹部１３ｆが形成され、凸部１２ｆと凹部１３ｆとを嵌合させることにより、上下ゲージ片１２，１３をその長手方向に相互に位置決めすることができる。
【００１４】  上下ゲージ片１２，１３は、後述する連結具１４の挟持作用部すなわちピン１４ｂ，１４ｃで挟まれる被挟持部１２ｈ，１３ｈを有する。被挟持部１２ｈ，１３ｈは、端面１２ａ，１３ａどうしを接触させた状態でその端面１２ａ，１３ａを挟んで位置する壁で構成されており、また、それぞれ端面１２ａ，１３ａと反対側に、ピン１４ｂ，１４ｃと接触可能な壁面１２ｈａ，１３ｈａを有している。
【００１５】  具体的には、被挟持部１２ｈ，１３ｈは、上下ゲージ片１２，１３の端面１２ａ，１３ａと他方のがわ（前記一方と反対がわ）で隣接する側端面１２ｃ，１３ｃから切り込まれた溝１２ｄ，１３ｄと端面１２ａ，１３ａとの間に形成されている。溝１２ｄ，１３ｄは、各ゲージ片１２，１３を板厚方向に貫通して形成され、かつ端面１２ａ，１３ａとほぼ平行に凹部１２ｂ，１３ｂに向け延びている。したがって、被挟持部１２ｈ，１３ｈの上壁面１２ｈａ、下壁面１３ｈａの近傍の空間は、溝１２ｄ，１３ｄを通して側端面１２ｃ，１３ｃから外方へ開放している。これは、少なくとも連結具１４の回転によって上のピン１４ｂが上ゲージ片１２に対し接近あるいは離隔することを可能にするためである。
【００１６】  下ゲージ片１３の溝１３ｄは、側端面１３ｃから離れたがわの端部で上方、すなわち上端面１３ａがわへ向け屈曲（以下、屈曲部を１３ｅという）している。被挟持部１３ｈの下壁面１３ｈａは、屈曲部を１３ｅの上端面１３ａがわの端部の面によって形成され、端面１３ａとは下方に間隔をおいて位置している。つまり、下壁面１３ｈａは、上端面１３ａに近づく方向に凹部をなし、後述する下のピン１４ｃは、その凹部に、溝１３ｄの長手方向すなわち上端面１３ａに対しほぼ直角方向に嵌合する凸部をなしている。また、下のピン１４ｃは屈曲部を１３ｅの左右側面によって上端面１３ａと平行な方向には移動が規制されている。
【００１７】  被挟持部１２ｈの上壁面１２ｈａは、上ゲージ片１２の溝１２ｄにおける、奥がわの端部（側端面１２ｃと反対がわの端部）の端面１２ａがわの面によって形成され、端面１２ａとは上方に間隔をおいて位置している。
上ゲージ片１２の溝１２ｄは、下の辺、すなわち下端面１２ａがわの辺を、側端面１３ｃがわにおいて下端面１２ａがわへ向け近づくように傾斜する面とし、側端面１２ｃがわに拡大する形状としている。その傾斜面は、屈曲部１３ｅを中心とする円弧に近似した直線傾斜または円弧形状、あるいは、それよりも下端面１２ａがわへ向け近づくように傾斜して、後述する上のピン１４ｂを傾斜面に沿って挿入することで下のピン１４ｃが屈曲部１３ｅを上昇させる直線傾斜または円弧形状である構成であることが好ましい。
【００１８】  連結具１４は、ほぼゲージ片１２，１３の板厚に相当する間隔をおいた２個の板１４ａと、それらの間を橋渡して固定しかつゲージ片１２，１３の板厚方向に延びる、挟持作用部すなわち２個の円柱形のピン１４ｂ、１４ｃとを備える。板１４ａは、後述するように一方のピン１４ｃを中心として、その板の面方向に沿った方向に回転することができる。連結具１４は、上下ゲージ片１２，１３を端面１２ａ，１３ａどうし接触させた状態で、ピン１４ｂ、１４ｃを溝１２ｄ，１３ｄに挿入させて、上下ゲージ片１２，１３を連結固定する。
【００１９】  詳細には、図３（ａ）に示すように下のピン１４ｃを下ゲージ片１３の溝１３ｄに側端面１３ｃがわの開口部から挿入し、屈曲部１３ｅにおいて上昇させ、その屈曲部１３ｅに嵌合する。下のピン１４ｃは、屈曲部１３ｅに嵌合した状態で、連結具１４の回転軸を形成する。これを回転軸として、連結具１４を回転させることで、上のピン１４ｂを上ゲージ片１２の溝１２ｄに挿入することができる。溝１２ｄの奥がわの上壁面１２ｈａと屈曲部１３ｅ上端の下壁面１３ｈａとの間の距離は、２個のピン１４ｂ、１４ｃの向かい合う外周面間の距離とほぼ対応しているので、上のピン１４ｂが溝１２ｄの奥がわの上壁面１２ｈａに達したとき、２個のピン１４ｂ、１４ｃは、被挟持部１２ｈ，１３ｈを挟む。その結果、上下ゲージ片１２，１３は上下方向に対し連結固定される。また、連結具１４の２個の板１４ａは、ゲージ片１２，１３を板厚方向から挟んでいるので、ゲージ片１２，１３は板厚方向に対しても連結固定される。
【００２０】  組Ａと組Ｂのゲージ１０は、十字形に組み合わされる。具体的には、組み合わされる組の２個の上ゲージ片１２に上端または下端から切り込まれたスリット１２ｇがそれぞれ他方の上ゲージ片１２とかみ合わされる。また、下ゲージ板１３も同様にスリット１３ｇにより十字形に組み合わされる。
【００２１】  なお、図５のように、ゲージ１０を十字形に組み合わせることなく、それぞれ独立に構成することもできる。十字形に組み合わせるか独立にするかは、被検査物の検査すべき箇所に応じて適宜選択すればよい。
【００２２】  基板２０は、４個の板材２１を互いにほぼ直角に組み合わせて四角形の枠状に形成されている。具体的には、図４に示すように、一方の板材２１に、幅広の先端部２２ａとそれよりも幅が狭い根元部２２ｂとからなるホゾ２２が形成され、他方の板材２１には、それに対応する形状のホゾ穴２３が形成され、ホゾ２２がホゾ穴２３に嵌合することで、２個の板材２１が接合される。ここで、図４（ｃ）に示すように、ホゾ２２の先端部２２ａとそれに対応するホゾ穴２３の部分は、板厚方向の一方に拡大したテーパ状に形成され、また図４（ｂ）に示すように、ホゾ２２の根元部２２ｂとそれに対応するホゾ穴２３の部分は、板厚方向にほぼ平行なストレート状に形成されている。このため、２個の板材２１の接合強度が確保され、かつ板材２１の接合への組み立て作業および接合状態からの分解が容易にできるようになっている。
【００２３】  基板２０は、その上面に各組のゲージ１０を、被検査物の検査すべき箇所に位置づけするための複数の溝２４を備えている。各組の下ゲージ片１３の下端を溝２４に嵌合することで、各ゲージ１０は基板２０に対してほぼ直角に立った状態で支持される。また、各下ゲージ片１３は、溝２４に嵌合する部分の少なくとも一方の端に段部１３ｋを備え、段部１３ｋが板材２１の外側縁部または内側縁部に接触することで、基板２０に対し各ゲージ１０をその長手方向に位置決めしている。
【００２４】  以上の構成からなる装置を使用して被検査物を検査する場合には、基板２０上に各下ゲージ片１３を溝２４に嵌合させて配置し、その下ゲージ片１３の凹部１３ｂ上に、被検査物３０を載置する。その後、各下ゲージ片１３に対応する各上ゲージ片１２を各下ゲージ片１３上に載置し、連結具１４で上ゲージ片１２を下ゲージ片１３に連結固定する。これにより、上ゲージ片１２の凹部１２ｂが凹部１３ｂとともに被検査物の収容開口部１１を形成し、被検査物の各箇所での断面形状を測定または検査することが可能になる。
【００２５】  上記のように、上ゲージ片１２を下ゲージ片１３に連結する際、連結具１４の下ピン１４ｃを下ゲージ片１３の溝１３ｄに挿入するのは、上ゲージ片１２を下ゲージ片１３に載置する前でも良いが、載置した後でも良い。いずれにしても、連結具１４を図３（ａ）に二点鎖線で示すように傾斜させた状態で、下ピン１４ｃを溝１３ｄに挿入し屈曲部１３ｅで上昇させ、その後、下ピン１４ｃを中心に連結具１４を回転させることで、上ピン１４ｂを上ゲージ片１２の溝１２ｄの奥がわ端部に向け挿入する。作業順序において、上ゲージ片１２を下ゲージ片１３に載置することと、連結具１４の下ピン１４ｃを下ゲージ片１３の溝１３ｄに挿入することのいずれが先になってもよく、作業しやすい。
【００２６】  さらに、下ピン１４ｃを屈曲部１３ｅに位置させて回転軸とすることで、連結具１４を回転させる位置が固定され、回転させやすい。しかも、連結具１４の回転に際して、連結具１４の両側の板１４ａがゲージ片１２，１３を挟み、面方向に回転をガイドするので、連結具１４がゲージ片１２，１３の板厚方向に振れるのを少なくし、安定して連結具１４を回転させることができる。また、上ゲージ片１２を下ゲージ片１３に連結した状態において、下ピン１４ｃが屈曲部１３ｅに位置づけされることで、連結具１４に触れてもその位置がずれにくく、被検査物の検査作業がしやすい。
検査作業後には、連結具１４を外側に倒すように回転させれば、上ゲージ片１２を外すことができ、その結果、被検査物を取り出すことができる。
【００２７】＜他の実施形態＞
他の実施形態において、前述の実施形態と同様の部分には同一符号を付してその説明を省略する。
図６の実施形態では、２個のゲージ片１２，１３の被挟持部１２ｈ，１３ｈおよび壁面１２ｈａ，１３ｈａは、前述の実施形態とほぼ同様の構成である。
連結具１４は、２個の板１４ａの間に挟んで固定した中間板１４ｆを、２個のゲージ片１２，１３を端面１２ａ，１３ａどうし接触させた状態で、その両ゲージ片に跨るコ字形状としている。そのコ字形状の上側の辺１４ｄは、先端を円柱形部１４ｄａとしている。下側の辺１４ｅは、先端を上側の辺１４ｄへ向けて立ち上げ、すなわち上向きに凸とし、その上面を円柱形部１４ｅａとしている。
【００２８】  ２個の円柱形部１４ｄａ，１４ｅａは、前述の実施形態のピンと同様に機能する。すなわち、下の円柱形部１４ｅａを溝の屈曲部１３ｅに嵌合し、その円柱形部１４ｅａを回転軸として連結具１４を回転させることで、上の円柱形部１４ｄａが溝１２ｄに挿入される。２個の円柱形部１４ｄａ，１４ｅａにより被挟持部１２ｈ，１３ｈを挟むことで、上下ゲージ片１２，１３は上下方向に対し連結固定される。
【００２９】  図７の実施形態では、２個のゲージ片１２，１３の被挟持部１２ｈ，１３ｈにおいて、連結具１４によって挟まれる壁面１２ｈｂ，１３ｈｂは、円柱形に形成されている。下の円柱形壁面１３ｈｂは、被挟持部１３ｈから下方に突出、すなわち下向きに凸をなす。
連結具１４の中間板１４ｆは、図５の実施形態と同様に、コ字形状をなすが、円柱形部１４ｄａ，１４ｅａを備えない。中間板１４ｆの上側の辺１４ｄは、上の被挟持部１２ｈの円柱形壁面１２ｈｂに接触する一方の挟持作用部をなし、下側の辺１４ｅは、下の円柱形壁面１３ｈｂを嵌合させる凹１４ｅａを有し、その凹１４ｅａの底を挟持作用部としている。
図７の実施形態では、下側の辺１４ｅを下ゲージ板１３の溝１３ｄに挿入し、その凹１４ｅａが下の円柱形壁面１３ｈｂに嵌合するように、連結具１４を上昇させる。そして連結具１４を、下ゲージ板１３の円柱形壁面１３ｈｂを回転軸としてそれを中心に回転させ、上側の辺１４ｄを上ゲージ板１２の溝１２ｄに挿入し円柱形壁面１２ｈｂに接触させる。これにより、上下の辺１４ｄ，１４ｅ間に被挟持部１２ｈ，１３ｈが挟まれ、上下ゲージ片１２，１３は上下方向に対し連結固定される。
【００３０】  図８の実施形態では、２個のゲージ片１２，１３の被挟持部は、両ゲージ片がなす平面からほぼ直角に突出したピン１２ｈｃ，１３ｈｃで構成される。この場合も、ピン１２ｈｃ，１３ｈｃ近傍の上下の空間は、他の実施形態と同様に側端面１０２ｃ，１０３ｃがわから外方へ開放している。
連結具１４の両側の板１４ａは、図６の中間板１４ｆと同様に、コ字形状をなし、上側の辺１４ａｂを上の被挟持部すなわちピン１２ｈｃに接触する一方の挟持作用部としている。下側の辺１４ａｃは、下の被挟持部すなわちピン１３ｈｃを嵌合させる凹１４ａｄを有し、その凹１４ａｃの底を挟持作用部としている。両側の板１４ａは、中間板１４ｇによって相互に連結されている。
【００３１】  図では、上下の辺１４ａｂ，１４ａｃの間に、中間の辺１４ａｅを備えている。この辺１４ａｅは、連結具１４の回転途中で上側の辺１４ａｂが上ゲージ板１２から外れた状態でも、両側の辺１４ａｅでゲージ板１２，１３を挟み、連結具１４の回転を安定してガイドするものであるが、省略することもできる。
図８の実施形態では、上下の辺１４ａｂ，１４ａｃの間に下ゲージ板１３のピン１３ｈｃを入れ、そのピン１３ｈｃが凹１４ａｃに嵌合するように連結具１４を上昇させる。この状態で連結具１４を、ピン１３ｈｃを回転軸として回転させ、上側の辺１４ｄを上ゲージ板１２のピン１２ｈｃに接触させる。これにより、被挟持部を挟み、上下ゲージ片１２，１３は上下方向に対し連結固定される。
【００３２】  なお、各実施形態では、連結具１４は下ゲージ片１３がわのピンまたは円柱形部を中心に回転したが、上ゲージ片１２がわのピンまたは円柱形部を中心に回転するように構成することもできる。
また、２個のゲージ片１２，１３は上下に配置するだけでなく、左右に配置するように構成することもできる。
被挟持部（１２ｈ，１３ｈ）は、２個のゲージ片１２，１３に溝１２ｄ，１３ｄによって形成したが、その溝に代えて上ゲージ片１２の側端面１２ｃと上端面に開放する切り欠き部、下ゲージ片１３の側端面１３ｃと下端面に開放する切り欠き部によって形成することもできる。
挟持作用部（１４ｂ，１４ｃ）で被挟持部（１２ｈ，１３ｈ）を挟んだ状態において、挟持作用部は被挟持部を接触状態で押すだけでなく、挟持作用部は被挟持部とわずかな離隔状態に構成することもできる。
収容開口部１１は、被検査物３０の一断面を完全に囲むものだけでなく、組Ｃのように、一方を開放した構成とすることもできる。
【符号の説明】
【００３３】１１            収容開口部
１２，１３      ゲージ片
１２ａ，１３ａ  端面
１２ｃ，１３ｃ  側端面
１２ｄ、１３ｄ  溝
１３ｅ          凹（屈曲部）
１２ｈ，１３ｈ  被挟持部
１４            連結片
１４ｂ、１４ｃ  挟持作用部（ピン）
【図１】
0003168501.tif 000003
【図２】
0003168501.tif 000004
【図３】
0003168501.tif 000005
【図４】
0003168501.tif 000006
【図６】
0003168501.tif 000007
【図５】
0003168501.tif 000008
【図７】
0003168501.tif 000009
【図８】
0003168501.tif 000010